【事件の表示】
　特許第２８４１０４４号「ガスコンロ用マット」の請求項１ないし２に係る特許に対する特許異議の申立てについて、次のとおり決定する。
【結論】
　訂正を認める。
　特許第２８４１０４４号の請求項１ないし２に係る特許を維持する。
【理由】
１．手続きの経緯
　特許第２８４１０４４号の請求項１及び２に係る発明は、平成８年３月２７日に特許出願され、平成１０年１０月２３日にその特許の設定登録がなされ、その後、特許異議申立人　東洋アルミホイルプロダクツ株式会社　より特許異議の申立てがなされ、取消理由通知がなされたところ、その指定期間内である平成１１年１１月３０日に訂正請求がなされたものである。
２．訂正の適否についての判断
ａ．訂正の内容
　特許権者が求めている訂正の内容は、願書に添付した明細書（以下、「特許明細書」という。）の特許請求の範囲の請求項１の、
「【請求項１】中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部の外周壁部の四隅部にガスコンロの受皿の外周フランジ部に開設している空気取入孔に連通する空気流通孔を穿設していることを特徴とするガスコンロ用マット。」
を
「【請求項１】中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部における上方に向かって斜め外向きに傾斜した外周壁部の四隅部にガスコンロの受皿の外周フランジ部に開設している空気取入孔に連通する空気流通孔を穿設していることを特徴とするガスコンロ用マット。」
に訂正するとともに、この特許請求の範囲の請求項１の訂正に伴って特許明細書の発明の詳細な説明の欄の段落番号【０００５】、段落番号【０００６】、段落番号【００１７】、及び段落番号【００１８】の記載を訂正するものである。
ｂ．訂正の目的の適否、新規事項の有無、及び拡張・変更の存否
　特許請求の範囲の請求項１の訂正は、「汁受溝部の外周壁部の四隅部に」を「汁受溝部における上方に向かって斜め外向きに傾斜した外周壁部の四隅部に」とし、空気流通孔が穿設される汁受溝部の外周壁部の構造を限定するものであって、特許請求の範囲の減縮を目的とするものである。また、この訂正は、特許明細書の「汁受溝部４の外周壁部５は該汁受溝部４の底部外周縁から上方に向かって斜め外向きに傾斜した周壁部に形成されているものであるが、」（段落番号【０００９】）なる記載に基づくものであって、新規事項の追加に該当せず、しかも実質上特許請求の範囲を拡張、又は変更するものではない。
　また、特許明細書の発明の詳細な説明の欄の段落番号【０００５】、段落番号【０００６】、段落番号【００１７】、及び段落番号【００１８】の記載の訂正は、上記の特許請求の範囲の請求項１の訂正に伴うものであって、明瞭でない記載の釈明を目的とするものであり、特許明細書の発明の詳細な説明に記載された事項に基づくものであるから、新規事項の追加に該当せず、また実質上特許請求の範囲を拡張、又は変更するものではない。
ｃ．独立特許要件
　訂正明細書の請求項１に係る発明は、訂正明細書の特許請求の範囲の請求項１に記載された事項により特定されるとおりのものである。
　これに対して、当審が平成１１年９月１３日付けで通知した取消理由通知で引用した、本件の出願の日前の他の出願であって、本件の出願後に出願公開された特願平８−１４０８４号（特開平９−２１０３７６号公報参照）の願書に最初に添付された明細書及び図面（以下、「先願明細書」という。）には、
「前記トッププレートを被覆するトッププレート覆い部と、前記トッププレート覆い部の略中央域に設けられ且ガスレンジの汁受け皿を被覆する汁受け皿覆い部とからなり、前記通気孔は前記汁受け皿覆い部の内周壁に複数設けられる請求項１に記載のガスレンジトッププレート覆い。」（特許請求の範囲　請求項３）が図面とともに記載されている。ここで「請求項１」は、「汁受け皿部に吸気口を有するガスレンジのトッププレートを被覆して前記トッププレートの汚れを防止する為のガスレンジトッププレート覆いであって、前記ガスレンジの汁受け皿部の外周縁近傍に対応する箇所に通気孔を設けたガスレンジトッププレート覆い。」（特許請求の範囲　請求項１）である。
　また、先願明細書には、
「ガスレンジによっては、図１０に示すように、汁受け皿（４２ａ）（４２ｂ）のコーナー部の内壁面に、吸気孔（４６）を開け、燃焼効率を高める構成のものが多くなって来た。」（段落番号【０００８】）こと、「図１は、本発明の実施の形態のトッププレート覆いの一例を示す斜視図であり、・・・このものは、肉厚約４５μｍのアルミニウム箔を成型して、略長方形状のトッププレート覆い部（２０）と、トッププレート覆い部（２０）の略中央に設けられる汁受け皿覆い部（２１）とを一体的に構成してなるもので、汁受け皿覆い部（２１）の中央には、バーナ部（４３）を突出させるための開孔（２１ａ）が形成されている。」（段落番号【００１６】）こと、
「尚、このガスレンジ（４）は、ハイカロリー式バーナが内蔵されたものとし、角型の汁受け皿（４２ａ）（４２ｂ）の各コーナ部には前記バーナの燃焼効率を高める為に、吸気孔（４６）が設けられている。」（段落番号【００１７】）こと、
「汁受け皿覆い部（２１）は略矩形状の第１凹部（２１ｂ）と、第１凹部（２１ｂ）の内方に形成され且第１凹部（２１ｂ）よりも一段低い円形の第２凹部（２１ｃ）とからな」る（段落番号【００１８】）こと、
「前記トッププレート覆いをトッププレート（４１）及び汁受け皿（４２ａ）を被覆する態様で設置した後で、汁受け皿覆い部（２１）の外周域に相当するトッププレート覆い部（２０）の上に、五徳（５）の鍔部（５０）を載置する。」（段落番号【００２２】）こと、
「吸気孔（４６）は、外部の空気をガスレンジ（４）内へ取り入れて、ガスレンジ（４）の内部からもバーナ部（４３）の燃焼部へ空気を供給できるようにする為に開口されたものである」（段落番号【００２５】）こと、及び
「通気孔の形成位置も、図６に示すように、汁受け皿覆い部（２１）の内壁に設ける構成としても良い。丸孔（３３）を汁受け皿覆い部（２１）の内壁に設けた構成のものでは、丸孔（３３）から取り込まれた空気は汁受け皿に設けた吸気孔（４６）に直接送り込まれることができるので、吸気効率が良いものとなる」（段落番号【００２７】）ことが記載されている。
　そして、先願明細書の図６には「本発明の実施の形態のトッププレート覆いの通気孔の配設位置の変更例を示す平面図。」が記載されており、この図６の記載を図１，３，４の記載及び段落番号【００１８】の記載を参酌して検討すると、図６に示される通気孔の配設位置は、汁受け皿覆い部の内壁の第１凹部を構成する部分の四隅部であり、通気孔が形成された面は、水平な面であり、上方に向かって斜め外向きに傾斜した面ではないことが窺える。
　そこで、訂正明細書の請求項１に係る発明と先願明細書に記載されたものを対比すると、後者の「開孔」、「汁受け皿覆い部」、「通気孔」が、各々、前者における「円形孔」、「汁受溝部」、「空気流通孔」に相当し、後者の「汁受け皿」、「吸気孔」が、各々、前者における「受皿」、「空気取入孔」に相当するものであることはそれらの機能からみて明らかであり、後者の「トッププレート覆い部」は、その上に五徳を載置するものであることからみて、前者における「水平フランジ部」に相当するものであるといえる。また、後者の汁受け皿覆い部を一体的に構成したトッププレート覆いは、汁受け皿を含むガスレンジの汚れを防止するものであるから、ガスコンロ用マットといえるものである。
　よって、両者は、
　中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部の四隅部にガスコンロの受皿に開設している空気取入孔に連通する空気流通孔を穿設しているガスコンロ用マット。
である点において一致するものの、
　前者は、汁受溝部における上方に向かって斜め外向きに傾斜した外周壁部に空気流通孔を穿設したものであるのに対し、後者は汁受溝部の内壁の水平な面に空気流通孔を穿設したものであり、両者はこの点において相違するものである。
　よって、訂正明細書の請求項１に係る発明は、先願明細書に記載された発明と同一であるとすることはできない。
　したがって、訂正明細書の請求項１に係る発明は、特許出願の際独立して特許を受けることができるものである。
ｄ．むすび
　以上のとおりであるから、上記訂正は、特許法第１２０条の４第２項、及び同条第３項で準用する同法第１２６条第２乃至第４項の規定に適合するので、当該訂正を認める。
３．特許異議申立てについての判断
ａ．本件発明
　特許第２８４１０４４号の請求項１及び２に係る発明（以下、「本件発明１」及び「本件発明２」という。）は、平成１１年１１月３０日付けで提出された訂正明細書の特許請求の範囲の請求項１及び２に記載された事項により特定されるとおりの次のものである。
「【請求項１】中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部における上方に向かって斜め外向きに傾斜した外周壁部の四隅部にガスコンロの受皿の外周フランジ部に開設している空気取人孔に連通する空気流通孔を穿設していることを特徴とするガスコンロ用マット。
　【請求項２】上記空気流通孔の開口縁を縁巻きしていることを特徴とする請求項１記載のガスコンロ用マット。」
ｂ．申立ての理由の概要
　特許異議申立人　東洋アルミホイルプロダクツ株式会社　は、甲第１号証として特願平８−１４０８４号（特開平９−２１０３７６号公報参照）の願書に最初に添付された明細書及び図面を提出し、本件発明１及び２は、甲第１号証に記載された発明と同一であるから、本件発明１及び２の特許は、特許法第２９条の２の規定に違反してなされたものであって、同法第１１３条第１項第２号の規定により取り消されるべきである、と主張している。
ｃ．判断
　甲第１号証は上記先願明細書に対応するものであって、甲第１号証には上記２．ｃ．に記載した発明が記載されている。
　甲第１号証には、さらに、
「トッププレート覆い部（２０）における汁受け皿覆い部（２１）の外周域で且第１凹部（２１ｂ）の各コーナ部の上端近傍に相当する箇所には、細長矩形状の４つの通気孔（２２）が形成されている。トッププレート覆い部（２０）の外周縁全域及び通気孔（２２）の長辺は、ガスレンジ（４）のトッププレート（４１）への取り付け、取り外しの際に手指を傷つけないように、縁巻き加工が施されている。」（段落番号【００２０】）ことも記載されている。
［本件発明１について］
　上記２．ｃ．で述べたとおりであるから、本件発明１が、甲第１号証に記載された発明と同一であるとすることはできない。
［本件発明２について］
　本件発明２は、本件発明１を引用したものであって、本件発明１を特定するために必要な事項をその発明を特定するために必要な事項とするから、２．ｃ．で述べた理由で、本件発明２が、甲第１号証に記載された発明と同一であるとすることはできない。
　さらに附言すると、甲第１号証には、水平フランジ部に穿設された空気流通孔の開口縁を縁巻きしたものは記載されているが、汁受溝部に穿設された空気流通孔の開口縁を縁巻きしたものは記載されていないから、この点においても、本件発明２が甲第１号証に記載された発明と同一であるとすることはできない。
ｄ．むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１１年１２月２０日（１９９９．１２．２０）
【訂正の要旨】
　本件訂正請求の要旨は、特許第２８４１０４４号の明細書を、本件訂正請求書に添付した訂正明細書のとおりに訂正しようとするもので、その訂正の内容は、下記（１）、（２）のとおりである。
（１）訂正事項ａ
　特許請求の範囲の請求項１において、
「上記汁受け溝部の外周壁部の四隅部にガスコンロの受皿の外周フランジ部に開設している空気取入孔に連通する空気流通孔を穿設している」
　とあるのを、
「上記汁受け溝部における上方に向かって斜め外向きに傾斜した外周壁部の四隅部にガスコンロの受皿の外周フランジ部に開設している空気取入孔に連通する空気流通孔を穿設している」
　と訂正する。
（２）訂正事項ｂ
　段落番号〔０００５〕の第５〜６行、段落番号〔０００６〕の第６〜７行、段落番号〔００１７〕の第５〜６行及び第１１〜１２行並びに段落番号〔００１８〕の第１行に、
「汁受溝部の外周壁部の四隅部に」
　とあるのを、
「汁受溝部における上方に向かって斜め外向きに傾斜した外周壁部の四隅部に」
　と訂正する。
（５４）【発明の名称】
ガスコンロ用マット
（５７）【特許請求の範囲】
　　【請求項１】　中央部にバーナヘッド露出用円形孔を設けていると共に該円形孔の周囲にガスコンロの受皿に敷設する汁受溝部を設け且つこの汁受講部の外周壁部の上端に五徳載置面を有する水平フランジ部を設けてなるアルミシート製マットにおいて、上記汁受溝部
における上方に向かって斜め外向きに傾斜した
　　【請求項２】　上記空気流通孔の開口縁を縁巻きしていることを特徴とする請求項１記載のガスコンロ用マット。
【発明の詳細な説明】
　　　【０００１】
　　【発明の属する技術分野】
　本発明はガスコンロの受皿上に敷設して受皿が煮汁等によって汚れるのを防止するアルミシート製ガスコンロ用マットの改良に関するものである。
　　　【０００２】
　　【従来の技術】
　従来から、調理時において生じる煮汁等によるガスコンロの汚損を防止するために、バーナーヘッドを設けたガスコンロの受皿上にアルミシート製のマットを敷設することが行われている。そして、このようなガスコンロ用マットの構造としては、図５に示すように、中央部にバーナヘッド露出用円形孔２２を設けていると共に該円形孔２２の周囲に、バーナーヘッド周囲の受皿部に嵌合可能な汁受溝部２４を凹設し、且つこの汁受溝部２４の外周壁部の上端に五徳載置面を有する水平フランジ部２７を設けてなるものが広く知られている。
　　　【０００３】
　一方、近年、図６に示すように、ガスコンロの受皿１１の外周フランジ部の四隅部に空気取入孔１４を設けて、バーナヘッド１５から噴出するガスを良好に燃焼させるように構成したガスコンロが市販されている。このガスコンロの受皿１１上に上記アルミシート製のコンロマット２１を敷設すると、このコンロマット２１によって上記空気取入孔１４が閉塞されて空気取入孔１４の空気流通機能を阻害することになる。そのため、上記図５に示したように、コンロマット２１の水平フランジ部２７における五徳載置面の隅部にスリット状の空気孔２６を設けたコンロマットが考案されている。
　　　【０００４】
　　【発明が解決しようとする課題】
　しかしながら、上記コンロマット２１をガスコンロの受皿１１に敷設した場合、その水平フランジ部２７の五徳載置面上に五徳１６を載置するものであるから、該五徳１６の下面が五徳載置面に密接し、この五徳載置面に穿設している空気孔２６が閉塞されて空気の流通が困難となり、受皿１１の四隅部に空気取入孔１４を設けているにもかかわらず、その機能を効果的に発揮させることができないという問題点があった。本発明はこのような問題点を全面的に解消し得るアルミシート製ガスコンロ用マットを提供することを目的とするものである。
　　　【０００５】
　　【課題を解決するための手段】
　上記目的を達成するために本発明のガスコンロ用マットは、中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部
における上方に向かって斜め外向きに傾斜した
　　　【０００６】
　　【作用】
　マットをガスコンロの受皿に敷設すると、その五徳載置面と五徳の下面とは密接するが、五徳載置面を有する水平フランジ部と受皿の外周フランジ部との間に隙間が設けられ、且つ受皿の周壁四隅部と該周壁四隅部上を被覆するマットの汁受溝部の外周壁部における四隅部との間にも隙間が形成されるので、受皿の外周フランジ部に開設している空気取入孔から流入する空気は、上記隙間を通じて汁受溝部
における上方に向かって斜め外向きに傾斜した
　　　【０００７】
　また、空気流通孔の開口縁を縁巻きしておくことによって、調理中に煮汁がマットの汁受溝部の外周壁部の四隅上にこぼれ落ちても、その縁巻きを伝って汁受溝部側に流下させることができ、空気流通孔から受皿上に漏出するのを阻止することができる。
　　　【０００８】
　　【発明の実施の形態】
　本発明の具体的な実施例を図面について説明すると、図１〜図３において、１はアルミシート製のマット主体で、中央部にガスコンロの受皿１１に穿設しているバーナ配設孔１２に合致し、且つ該バーナ配設孔１２よりも僅かに大径のバーナヘッド露出用円形孔２を穿設していると共にこの円形孔２の周縁部に断面逆Ｖ字状の円環状突壁部を設けてあり、該円環状突壁部を内周壁部３としてこの内周壁部３の外周方にガスコンロの受皿１１の深さに略等しい深さの環状凹部よりなる汁受溝部４を形成している。
　　　【０００９】
　上記汁受溝部４の外周壁部５は該汁受溝部４の底部外周縁から上方に向かって斜め外向きに傾斜した周壁部に形成されているものであるが、汁受溝部４の底部外周縁に連なる下端縁は四隅部が水平方向に凸円弧状に湾曲した矩形状に形成され、この矩形状でもって上方に向かって斜め外向きに傾斜した壁部に形成されて四隅部には円弧状傾斜壁部５ａが設けられている，さらに、この外周壁部５は受皿１１の周壁１３よりも高く形成されていると共にマット主体１を受皿１１に敷設した時に、図３に示すように、少なくとも上記円弧状傾斜壁部５ａと受皿１１の周壁１３の四隅部との対向面間に隙間１８が設けられるように形成されている。
　　　【００１０】
　この汁受溝部４の四隅部に形成された各円弧状傾斜壁部５ａには、ガスコンロの受皿１１の周壁上端から水平方向に屈曲した外周フランジ部１９の四隅部に上下方向に貫通状態で穿設されている空気取入口１４に連通する空気流通孔６が穿設されている。該空気流通孔６の形状は、図１に示すように、横長長方形状の孔であってもよく、又、図４に示すように、円弧状傾斜壁部５ａの両側部に設けた円形孔であってもよい。この空気流通孔６の開口縁には円弧状傾斜壁部５ａから汁受溝部４側に向かって突出した縁巻き６ａが施されている。
　　　【００１１】
　さらに、汁受溝部４の上端縁には外方に向かって水平に延びた平面矩形状の水平フランジ部７を一体に設けている。この水平フランジ部７の内周側は五徳載置面７ａに形成されていると共に外周側は五徳載置面７ａから段部７ｃを介して僅かに高くなった水平面部７ｂに形成されてあり、この水平面部７ｂはガスコンロの受皿１１の外周側上面に支持させるように構成しているものである。
　　　【００１２】
　また、上記水平フランジ部７の水平面部７ａの四方外周縁に折目８を介してフラップ片９を連設している。このフラップ片９は受皿１１の外周方におけるガスコンロの上面の大きさ、即ち、ガスコンロの大小の機種に応じて折り曲げ、或いは展開してガスコンロの上面を被覆するものであるが、図４に示すように、このようなフラップ片９を設けていないマットに形成しておいてもよい。このマット主体１はフラップ片９を設けていない点以外が上記マットと同一構造であるので、同一部分には同一符号を付してその説明を省略する。なお、フラップ片９の周縁、又は、フラップ片９を設けていないマット主体１においては、その水平面部７ａの四方周縁には縁巻き１０が施されている。
　　　【００１３】
　ガスコンロの受皿１１の形状は上述したように、中央部にバーナーヘッド１５を配設するための円形状配設孔１２を設けている浅底皿形状に形成されてあり、その周壁１３は四隅部が円弧状湾曲壁面１３に形成された平面矩形状に形成されていると共にその上端から水平方向に屈曲した外周フランジ部１９を一体に設けてなり、この外周フランジ部１９の四隅部に上下方向に貫通した空気取入孔１４が穿設されている。
　　　【００１４】
　このガスコンロの受皿上に上記のように構成したガスコンロ用マットを、そのマット主体１の汁受溝部４を受皿１１内に嵌め込むようにして敷設すると、図３に示すように、中央部に穿設している円形孔２が受皿１１のバーナーヘッド配設孔１２に同心的に合致してバーナーヘッド１５をその円形孔２から露出させると共に汁受溝部４の外周壁部５が受皿１１の周壁１３上に沿ってその四隅部の円弧状傾斜壁部５ａが受皿１１の周壁四隅部の円弧状湾曲壁面１３から離間した状態で嵌合し、円弧状傾斜壁部５ａと円弧状湾曲壁面１３との間に隙間１８が設けられる。さらに、マット主体１の汁受溝部４の外周壁部５の上端に連設した水平フランジ部７が受皿１１の外周フランジ部１９から上方に位置し、水平フランジ部７の五徳載置面７ａの下面と受皿の外周フランジ部１９の上面間に隙間２０が設けられる。
　　　【００１５】
　このように、ガスコンロの受皿１１上にマットを敷設したのち、該マット主体１の五徳載置面７ａ上に五徳１６を載置した状態にして使用するものである。この使用状態において、受皿１１の下方空間部側からの空気が受皿１１の外周フランジ部１９の四隅部に穿設している空気取入孔１４から五徳載置面７ａの下方隙間２０内に流入し、さらに、その隙間２０と連通するマット主体１の外周壁部５の円弧状傾斜壁部５ａと受皿１１の周壁１３の円弧状湾曲壁面１３との間の隙間１８を通じて円弧状傾斜壁部５ａに穿設している空気流通孔６から汁受溝部４上に円滑に流出し、バーナーヘッド１５から噴出するガスに対して充分な空気の供給を可能にして効率よく燃焼させることができるものである。
　　　【００１６】
　また、上記空気流通孔６の開口縁には円弧状傾斜壁部５ａから汁受溝部４側に向かって突出した縁巻き６ａが施されているので、調理中に煮汁がこの円弧状傾斜壁部５ａ上にこぼれ落ちても、空気流通孔６から外部に流出させることなく、その縁巻き６ａの外周を伝って汁受溝部４側に流下させることができるものである。
　　　【００１７】
　　【発明の効果】
　以上のように、本発明のガスコンロ用マットによれば、中央部にバーナヘッド露出用円形孔を設けていると共に該円形孔の周囲にガスコンロの受皿に敷設する汁受溝部を設け且つこの汁受溝部の外周壁部の上端に五徳載置面を有する水平フランジ部を設けてなるアルミシート製マットにおいて、上記汁受溝部の外周壁部
における上方に向かって斜め外向きに傾斜した
における上方に向かって斜め外向きに傾斜した
　　　【００１８】
　また、汁受溝部の外周壁部
における上方に向かって斜め外向きに傾斜した
【図面の簡単な説明】
　　【図１】
　外周四方にフラップ片を設けているマットの斜視図、
　　【図２】
　ガスコンロの簡略斜視図、
　　【図３】
　受皿上にマットを敷設した状態の要部の拡大縦断面図、
　　【図４】
　フラップ片を設けていないマットの斜視図。
　　【図５】
　従来のマットの斜視図、
　　【図６】
　受皿上に該マットを敷設した状態の要部の拡大縦断面図。
　　【符号の説明】
　１　　マット主体
　２　　バーナヘッド露出用円形孔
　４　　汁受溝部
　５　　外周壁部
　６　　空気流通孔
　６ａ　縁巻き
　７　　水平フランジ部
　７ａ　五徳載置面
　１１　受皿
　１４　空気取入孔